(57)【要約】【課題】窓や屋内の空間を遮蔽し或いは開放する遮蔽部材を係止する際に利用して有利な構造を提供する。【解決手段】磁石対は、磁性体からなる棒状体１と棒状体１を収容する筒体とからなる第１部材Ａり、棒状体１を吸着する磁石からなる吸着体３と吸着体３に吸着される棒状体１の吸着方向と交叉する方向への移動を拘束する拘束部材４からなる第２部材を有して構成される。遮蔽構造は、上枠１１と下枠１２と縦枠１３からなる枠体Ｄと、枠体Ｄの内側の空間を遮蔽し又は開放する窓掛１４を有し、下枠に磁石対の第１部材Ａをを配置し、窓掛１４の下端部材１４ａに磁石対の第２部材Ｂを配置する。【選択図】    図３
2007277941.tif 000002
【特許請求の範囲】
【請求項１】
一方の部材が磁石又は磁性体からなる棒状体と該棒状体を収容する筒体とからなり、他方の部材が前記棒状体を磁力で吸引する磁性体又は磁石からなる吸着体と該吸着体に吸引される棒状体の吸引方向と交叉する方向への移動を拘束する拘束部材とからなる磁石対であって、前記一方の部材は、端部が開放された筒体に対し棒状体の一方の端面が筒体の開放端部と略等しいか或いは僅かに引き込んだ位置と筒体の開放端部から突出した位置とに於ける予め設定された範囲で該筒体内を摺動可能に収容されて構成され、且つ他方の部材は、棒状体が吸着体により吸引される際に拘束部材によって吸引方向と交叉する方向への相対的な移動を拘束し得るように構成されていることを特徴とする磁石対。
【請求項２】
上枠と下枠と縦枠からなる枠体と、前記枠体の内側の空間を遮蔽し又は開放する遮蔽部材と、を有し、前記枠体の所定位置に請求項１に記載した磁石対を構成する一方の部材又は他方の部材を配置すると共に、前記遮蔽部材の周囲であって枠体に配置された一方の部材又は他方の部材に対向する位置に磁石対を構成する他方の部材又は一方の部材を配置し、且つ前記一方の部材を配置した位置に該一方の部材を構成する棒状体を筒体に退避させる退避手段を設けることを特徴とする遮蔽構造。
【請求項３】
前記下枠に請求項１に記載した磁石対を構成する一方の部材又は他方の部材を配置すると共に、磁石対の他方の部材又は一方の部材を遮蔽部材の下端面に配置し、且つ前記一方の部材を配置した位置に該一方の部材を構成する棒状体を筒体に退避させる退避手段を設けることを特徴とする請求項２に記載した遮蔽構造。
【請求項４】
前記枠体又はその一部が室内の面と一体的に構成されていることを特徴とする請求項２又は３に記載した遮蔽構造。
【請求項５】
前記下枠に請求項１に記載した磁石対を構成する一方の部材を配置すると共に該一方の部材を構成する筒体の開放端部を下枠の表面と同一面内に配置し、磁石対の他方の部材を遮蔽部材の下端面に配置し、且つ前記一方の部材を配置した位置に該一方の部材を構成する棒状体を上下に摺動するように筒体を配置させたことを特徴とする請求項２乃至４の何れかに記載した遮蔽構造。
【請求項６】
窓枠と窓を遮蔽し又は開放する窓掛とを有する窓であって、窓枠を構成する枠体の下枠の所定位置に請求項１に記載した磁石対を構成する一方の部材を配置すると共に、窓掛の下端面であって枠体に配置された一方の部材に対向する位置に磁石対を構成する他方の部材を配置したことを特徴とする窓。
【発明の詳細な説明】
【技術分野】
【０００１】
本発明は、予め設定された範囲で移動可能に構成された磁石又は磁性体を有する部材と、前記磁石又は磁性体を吸引して移動させる際に該吸引に伴う移動方向に対し交叉する方向への移動を拘束し得るようにした部材とからなる磁石対と、前記磁石対を利用した遮蔽構造とに関するものである。
【背景技術】
【０００２】
建物の窓では、遮光や視線の遮断を目的として、障子の屋外側にすだれやロールスクリーンを設けたり、障子の屋内側にブラインドやロールスクリーン等を設けるのが一般的である。例えばブラインドやロールスクリーンは、通常はブラインドやスクリーンを窓の上部に収容しておき、必要に応じて下端部分を下降させ或いは引き出して窓の空間を覆うことで、遮光し或いは視線を遮断し得るように構成されている。
【０００３】
このようなブラインドやロールスクリーンは風にあおられると遮光や視線の遮断ができなくなる。このため、窓障子の屋外側に設けたロールスクリーンでは、下端部分を窓枠の下枠に設けたフック状の係止部材に引っ掛けるようにして連結している。また障子の屋内側に配置されたブラインドやロールスクリーンには特別な係止手段は設けられていないのが一般的である。
【０００４】
また特許文献１には、窓の外側にブラインドを装着し得るようにしたブラインド装置が記載されている。この技術では、枠構造にブラインドを吊着し、ブラインドの下端を磁石で底板に着脱自在に吸引固定し、装置全体を窓外の庇或いは壁面に装着することで、窓の屋外側にブラインドを設けることが可能である。特に、ブラインドの下端を磁石を介して底板に着脱し得るように構成しているため、また、ブラインドの中間を縦方向の支持枠によって挟んだ構成しているため、かなりの強風下でも揺動することがない。
【０００５】
【特許文献１】実用新案登録第３０６４３３１号公報
【発明の開示】
【発明が解決しようとする課題】
【０００６】
窓障子の屋内側に設けたブラインドやロールスクリーンは窓枠に係止し得るような構造にはなっていない。また、障子の屋内側では通常フック状の係止部材を設けることができないため、障子を開放したときには風によってあおられるという問題が生じる。
【０００７】
また特許文献１に記載された技術では、磁石の吸引力のみによって強風下に於ける揺動に対抗し得るように構成されている。このため、磁石には大きい吸引力が要求されることとなり、ブラインドを上昇させて窓空間を開放しようとする際に前記吸引力に対抗し得るような大きな力が必要になる。また窓の外側にブラインド装置の枠構造や縦方向の支持枠が装着されることとなり、ブラインドを利用することなく窓空間を開放したときには枠構造が邪魔になる虞がある。
【０００８】
また廊下や部屋の天井から床面に至る空間の一部をロールスクリーンのような軟らかい遮蔽部材によって遮蔽したり開放するような場合に容易に利用することができ、且つ通常の生活時に邪魔になることがない係止手段の開発が要求されている。
【０００９】
本発明の目的は、窓や屋内の空間を遮蔽し或いは開放する遮蔽部材を係止する際に利用して有利な磁石対と、この磁石対を利用した遮蔽部材を開放したとき磁石対が邪魔にならない遮蔽構造及び窓を提供することにある。
【００１０】
特に窓掛のように柔らかい遮蔽部材の下端を下枠に留めるとき、窓掛自身の重量があるので垂直方向には弱い吸引力で充分であり、風にあおられることを防止するには水平方向にしっかり拘束させることが必要である。これらのことを満足させる遮蔽構造および窓を提供することにある。
【課題を解決するための手段】
【００１１】
上記課題を解決するために本発明に係る磁石対は、一方の部材が磁石又は磁性体からなる棒状体と該棒状体を収容する筒体とからなり、他方の部材が前記棒状体を磁力で吸引する磁性体又は磁石からなる吸着体と該吸着体に吸引される棒状体の吸引方向と交叉する方向への移動を拘束する拘束部材とからなる磁石対であって、前記一方の部材は、端部が開放された筒体に対し棒状体の一方の端面が筒体の開放端部と略等しいか或いは僅かに引き込んだ位置と筒体の開放端部から突出した位置とに於ける予め設定された範囲で該筒体内を摺動可能に収容されて構成され、且つ他方の部材は、棒状体が吸着体により吸引される際に拘束部材によって吸引方向と交叉する方向への相対的な移動を拘束し得るように構成されるものである。
【００１２】
また本発明に係る遮蔽構造は、上枠と下枠と縦枠からなる枠体と、前記枠体の内側の空間を遮蔽し又は開放する遮蔽部材と、を有し、前記枠体の所定位置に請求項１に記載した磁石対を構成する一方の部材又は他方の部材を配置すると共に、前記遮蔽部材の周囲であって枠体に配置された一方の部材又は他方の部材に対向する位置に磁石対を構成する他方の部材又は一方の部材を配置し、且つ前記一方の部材を配置した位置に該一方の部材を構成する棒状体を筒体に退避させる退避手段を設けたものである。
【００１３】
上記遮蔽構造に於いて、下枠に請求項１に記載した磁石対を構成する一方の部材又は他方の部材を配置すると共に、磁石対の他方の部材又は一方の部材を遮蔽部材の下端面に配置し、且つ前記一方の部材を配置した位置に該一方の部材を構成する棒状体を筒体に退避させる退避手段を設けることことが好ましい。
【００１４】
また上記何れかの遮蔽構造に於いて、枠体又はその一部が室内の面と一体的に構成されていることが好ましく、該下枠に請求項１に記載した磁石対を構成する一方の部材を配置すると共に該一方の部材を構成する筒体の開放端部を下枠の表面と同一面内に配置し、磁石対の他方の部材を遮蔽部材の下端面に配置し、且つ前記一方の部材を配置した位置に該一方の部材を構成する棒状体を上下に摺動するように筒体を配置することが好ましい。
【００１５】
また本発明に係る窓は、窓枠と窓を遮蔽し又は開放する窓掛とを有する窓であって、窓枠を構成する枠体の下枠の所定位置に請求項１に記載した磁石対を構成する一方の部材を配置すると共に、窓掛の下端面であって枠体に配置された一方の部材に対向する位置に磁石対を構成する他方の部材を配置したものである。
【００１６】
尚、本発明に於いて、窓掛とは、上方から吊り下げられて窓を遮蔽し、或いは開放する部材であって、ブラインド、ロールスクリーン、カーテン等を含み、特に、風等の影響を受けて全体的に揺れ動くものをいう。
【発明の効果】
【００１７】
本発明に係る磁石対では、一方の部材（以下「第１部材」という）と他方の部材（以下「第２部材」という）を接近させたとき、第１部材の棒状体が筒体の内部を軸方向に摺動して吸引されて第２部材に結合することができる。棒状体が吸引される際に吸引方向と交叉する方向に移動しようとしても、この方向への移動は拘束部材によって拘束される。即ち、棒状体は筒体に沿って軸方向にのみ摺動し、第２部材は棒状体を中心として拘束部材による拘束範囲内で動きを拘束することができる。
【００１８】
従って、第１部材を構成する筒体、又は第２部材を構成する吸着体を、夫々相対的に接近し且つ自由な方向に位置移動可能な二つの物体に固定しておき、これらの二つの物体を接近させて吸着体に棒状体を吸引させることで、棒状体の動きを吸着体に吸引した状態を保持して拘束部材による拘束範囲内で拘束することができる。
【００１９】
このように、棒状体と吸着体が互いに吸引したときに作用する吸引力によって両者を棒状体の摺動方向に吸引し、吸着面内、即ち、吸着方向に交叉する方向に於ける吸着体と棒状体の相対的な拘束が拘束部材によるため、両者の吸着を摺動方向に解除する際に大きな力を必要とせず、比較的小さい力で容易に離脱させることができる。
【００２０】
本発明に係る遮蔽構造では、枠体に磁石対を構成する第１部材又は第２部材を配置し、遮蔽部材の周囲に第２部材又は第１部材を配置し、且つ一方の部材を配置した位置に棒状体を筒体に退避させる退避手段を設けることによって、第１部材と第２部材が離れている場合には、棒状体は筒体に収まった状態になる。
【００２１】
また枠体の内側の空間を開放する際に遮蔽部材を操作して磁石対の吸引を解除したとき、第１部材の棒状体は退避手段によって筒体に退避させられ、筒体から突出した状態を保持することがない。退避手段として第１部材を下枠に設け棒状体を上下方向に摺動させるようににすれば、棒状体は自重で落下して退避することができ、特に新たな部材を設けなくてよい。
【００２２】
特に、遮蔽部材を可撓性を有するロールスクリーンとした場合には、この遮蔽部材が風によって揺れた場合、棒状体は吸着体による吸引を維持し、遮蔽部材の揺れは棒状体の拘束部材による拘束範囲内で拘束される。従って、ロールスクリーンは上下の両端部分が拘束されて中央部分が風に対応して揺れ、周囲にやわらかな風を感じさせることができる。
【００２３】
また枠体の下枠に第１部材を配置し、遮蔽部材の下端面に第２部材を配置した場合には、枠体の内側を遮蔽する遮蔽部材を下端で吸引することができる。
【００２４】
また下枠が室の床と一体的に構成されている場合には、廊下や室の一部、或いは室と廊下の境を遮蔽部材によって遮蔽し、或いは開放することができる。
【００２５】
また下枠に第１部材を配置すると共に筒体の開放端部を下枠の表面と同一面内に配置した場合には、下枠の表面に沿って人が移動する際に筒体が邪魔をすることがない。
【００２６】
枠体またはその一部が室内の面と一体的に構成されている、即ち上枠が天井と、縦枠が壁面と、下枠が床面と一体的に構成されていてもよい。
【００２７】
また枠体を窓枠とした場合には、障子の内側に配置したブラインドやロールスクリーン等の窓掛の下端面を下枠に吸引することができ、窓の障子を開放した場合でも、これらの窓掛によって遮光することができ、且つ視線を遮断することができる。
【発明を実施するための最良の形態】
【００２８】
以下、本発明に係る磁石対の好ましい形態、及び遮蔽構造、窓の好ましい形態について説明する。本発明の磁石対は、二つの物体を磁力により吸引して相対的な動きの範囲を拘束するものである。即ち、本発明の磁石対は、棒状体と吸着体との吸引を維持して、吸着体に対して棒状体の動きを予め設定された範囲内で拘束するようにしたものである。
【００２９】
本発明の磁石対は、棒状体と筒体を有する第１部材と、吸着体と拘束部材を有する第２部材とによって構成されており、棒状体は磁石又は磁性体によって構成され、吸着体は磁性体又は磁石によって構成される。棒状体と吸着体は互いに磁力により吸引し得る組み合わせであれば良い。特に、棒状体は筒体に収容されて予め設定された範囲内で軸方向に摺動するため、摺動範囲を規定するための構成が必須となり、該構成によっては磁性体であることが好ましい場合がある。棒状体が磁性体であれば棒状体の加工がしやすいので、磁石に比べ摺動範囲を規定するための手段を設けやすい。
【００３０】
第１部材を構成する棒状体の太さや長さは限定するものではなく、取り付けるべき物体に作用する力等の条件、及び摺動させるべき長さ等の条件に応じて適宜設定することが好ましい。また棒状体の断面形状も特に限定するものではなく、多角形、丸等を選択することが可能であるが、筒体との関係で適宜設定することが好ましい。特に棒状体を丸棒状にし、筒体内径を棒状体の外径よりやや大きくすることで、棒状体の摺動が滑らかになり好ましい。
【００３１】
棒状体を収容する筒体は少なくとも一端が開放された開放端部を有しており、棒状体が摺動したときこの開放端部から突出し、棒状体が筒体に収容されたとき該棒状体の端面は、開放端部の端面と略等しい位置となるか或いは僅かに内側に引っ込んだ位置にあることが好ましい。このように、棒状体が端面を筒体の開放端部から突出させることなく筒体に収容されることによって、該棒状体が周囲に邪魔することがない。
【００３２】
棒状体が筒体に収容された状態で軸方向（摺動方向）に摺動し得る範囲は寸法を特に限定するものではなく、磁石対を取り付けるべき物体に応じて適宜設定することが好ましい。また、棒状体の摺動範囲の限界を設定する構造も特に限定するものではなく、例えば棒状体の一部にフランジ部や突起を設けておき、筒体にフランジ部や突起と係合するガイドを設けてこのガイドによって棒状体の摺動範囲を設定することが可能である。
【００３３】
棒状体の摺動を安定して且つ容易に行うために、筒体の内面に低摩擦加工を施しておくことが好ましい。このような低摩擦加工は、例えば４フッ化エチレン樹脂によるコーティングを施すことで実現することが可能である。
【００３４】
筒体を目的の物体に取り付ける際に、該筒体の開放端部が物体の表面と同一な面であることが好ましいことがある。この場合、筒体の開放端部の外周にフランジを設けておき、このフランジを目的の物体の表面に設けた座に接触又は埋設させることで、容易に開放端部の端面と物体の表面とを同一面に配置することが可能である。
【００３５】
また筒体を目的の物体に取り付ける際に、該筒体の開放端部が物体の表面から離隔した位置にあることが好ましいことがある。この場合、筒体の外周にねじを形成すると共に面取りしてスパナを掛けることが可能なように構成しておくことが好ましい。筒体をこのように構成することで、該筒体の目的の物体に対するねじ込み深さを調整することで、開放端部の高さを所望の値に設定することが可能である。
【００３６】
更に、筒体を目的の物体に取り付けた後、この筒体が抜け出すようなことは好ましいことではない。このため、例えば物体が木材のような場合には、筒体の外周面にリング状の突起を設けておき、この筒体を打ち込んで抜けを防止し得るように構成しておくことが好ましい。
【００３７】
棒状体を筒体に退避させる退避手段は、棒状体が吸着体から離隔したときに強制的に筒体に退避させる機能を有するものであれば良く、例えば筒体の内部に配置されて棒状体に筒体に退避する方向への力を付与するバネを利用することが可能である。
【００３８】
また、第１部材の上方に第２部材を配置し、退避手段として棒状体を垂直方向に摺動し得るように配置すれば、吸着体に吸引されて上方に移動するような構成となり、棒状体を強制的に退避させる部材として特別なものを設けることなく、自重で落下することが可能となり好ましい。
【００３９】
第２部材を構成する吸着体は棒状体を吸引し、この吸引状態を維持して棒状体の軸方向に互いに吸着拘束し得るような構成であることが必要である。吸着体が平坦な吸着面を有することによって、棒状体の端面を吸着面に吸引した状態を維持することが可能である。
【００４０】
また、吸着面に於ける棒状体の軸方向に交叉する方向への移動を拘束するために拘束部材を設けることが必要である。このような拘束部材の構造は特に限定するものではなく、吸着面に吸引された棒状体の拘束範囲を規定する機能を有するものであれば利用することが可能である。拘束部材の構造として、例えば、吸着面の拘束範囲を規定し且つ棒状体の太さよりもやや大きい閉鎖空間を形成した板状の部材を吸着面に対向させて配置したものがある。
【００４１】
上記の如き構造を持った第２部材では、棒状体が吸着体に吸引される際に吸着面に接近して拘束部材の閉鎖空間内に嵌合し、この段階で棒状体が摺動方向（軸方向）に対して交叉する方向へ動こうとしたとき、該棒状体の外周面が閉鎖空間の端縁に当接して拘束される。また、棒状体の端面が吸着面に吸引されている段階で、棒状体或いは吸着体に棒状体の軸方向に交叉する方向の外力が作用して相対的に棒状体が吸着面内を動いたとき、該棒状体の外周面が閉鎖空間の端縁に当接して拘束される。
【００４２】
拘束部材に於ける閉鎖空間の形状は特に限定するものではなく、円、楕円、長穴、多角形等所望の平面形状に設定することが可能である。また拘束部材の閉鎖空間と吸着面との間隔も特に限定するものではなく、吸着体の吸引力や棒状体の長さ等の条件に応じて適宜設定することが好ましい。
【００４３】
次に、本発明の遮蔽構造は、枠体の内側に形成された空間を必要量遮蔽する遮蔽部材と枠体に磁石対を設けておき、前記空間を遮蔽部材よって遮蔽したとき、該遮蔽部材と枠体とに設けた磁石対の協働によって遮蔽部材による空間を遮蔽を維持し得るようにしたものである。
【００４４】
特に、磁石対を構成する第１部材の棒状体が、第２部材を構成する吸着体に吸引されたとき、棒状体の軸方向への摺動が予め設定された範囲で許容され、且つ棒状体と吸着体とが吸引状態を維持した吸着面内の動きが拘束される。このため、遮蔽部材が揺れた場合、磁石対の吸引が解除されることがない。
【００４５】
従って、遮蔽部材のやわらかい揺れを感じさせることが可能となり、枠体として窓枠を利用し、且つ遮蔽部材としてブラインドやロールスクリーンを利用した場合、窓をとおる風を視覚で捕らえることが可能となる。
【００４６】
枠体は上枠と下枠及び縦枠を有して構成される。これらの枠体は、枠体としての部材を要求するものではなく、他の部材を利用することが可能である。例えば、上枠として天井材を利用し、下枠として床材を利用し、縦枠として壁材を利用することが可能である。このように、天井材、床材、壁材を利用した場合には、屋内の廊下の一部を遮蔽し或いは開放したり、部屋の一部を遮蔽し或いは開放したりするような場合に適用して有利である。
【００４７】
また遮蔽部材としては枠体の内側を遮蔽し得るものであれば良く、構造を特に限定するものではない。しかし、本発明の磁石対が、棒状体の吸着体に対する吸引状態を維持した吸着面内での動きが拘束されるように構成されたものであることから、棒状体の吸着体に対する吸引を解除するには、吸着体を棒状体の軸方向に離隔させることになる。このため、遮蔽部材としては、磁石対を構成する棒状体の軸方向に沿って移動することで枠体の内側を遮蔽し、或いは開放するものであることが好ましい。このような遮蔽部材としては、ブラインドやロールスクリーン等の窓掛があり、何れも好ましく利用することが可能である。
【００４８】
特に、枠体を窓枠とし窓掛を設けた場合には、障子を開放しても、遮光や視線を遮断することが可能であり、且つ開放した窓からの風のとおりを確保することが可能である。
【実施例１】
【００４９】
次に、本実施例に係る磁石対の構成について図を用いて説明する。図１は磁石対の構成を説明する図である。図に示す磁石対は、棒状体１と該棒状体１を収容する筒体２とを有する第１部材Ａと、吸着体３と拘束部材４とを有する第２部材Ｂと、を有して構成されている。
【００５０】
第１部材Ａを構成する棒状体１は、予め設定された直径と長さを持った丸棒状の鋼材によって構成されている。また筒体２は、棒状体１の外径よりもやや大きい内径を有し、且つ棒状体１の長さと略等しい長さをもった円筒状に形成されている。
【００５１】
棒状体１は筒体２に対し軸方向に予め設定された長さの範囲で摺動可能に収容される。そして棒状体１の摺動範囲を規定するために、棒状体１の長手方向の所定位置には直径方向に貫通したロールピン５が設けられ、筒体２の本体２ａに於ける長手方向の所定位置にはロールピン５を嵌合して案内する長穴からなるガイド穴２ｂが形成されている。従って、棒状体１は、ロールピン５がガイド穴２ｂの両端部分と接触する範囲で摺動し得るように筒体２に収容されている。
【００５２】
上記の如く、棒状体１にはロールピン５を貫通させる加工が施される。この加工を容易に行うために、本実施例では、棒状体１を丸棒状の鋼材を利用して構成している。
【００５３】
棒状体１が筒体２に於ける一方側の摺動限界に到達したとき棒状体１の端面１ａが筒体２の開放端部２ｃから突出し、他方側の摺動限界に到達したとき棒状体１の端面１ｂが筒体２の開放端部２ｃと略同一面となるように、或いは開放端部２ｃから僅かに引き込んだ面となるように収容される。従って、筒体２に於けるガイド穴２ｂの開放端部２ｃ側の位置を適宜設定することによって、棒状体１の端面の突出限界を適宜設定することが可能である。
【００５４】
筒体２の開放端部２ｃの周囲にはフランジ２ｄが形成されている。フランジ２ｄは、後述するように、筒体２を下枠や床に取り付ける際に該下枠や床の表面に直接、或いは下枠や床に形成された座面に接触して埋め込み限度を設定するものである。
【００５５】
筒体２を構成する材料は特に限定するものではないが、収容した棒状体１の摺動を容易に且つ円滑に行わせることが可能なように、例えばナイロンや４フッ化エチレン樹脂のように自己潤滑性を持った物質を材料として製作し、或いは内周面に自己潤滑性を持った材料によるコーティング層を形成することが好ましい。このように、棒状体１との接触面を低摩擦とすることで、棒状体１が円滑に筒体２の内部を摺動することが可能となり、吸着体３による突出方向への移動や、吸着体３からの離脱に伴う自重での退避方向への移動を円滑に且つ確実に行うことが可能となる。
【００５６】
第２部材Ｂを構成する吸着体３は平板状の磁石によって構成されている。吸着体３としては磁石そのものが露出した形状を持って構成される必要はなく、薄い鉄板によって形成されたケースに板状の磁石を収容して構成しても良い。吸着体３に於ける吸着面３ａは棒状体１の直径よりも充分に大きい寸法を有しており、吸着面３ａに吸引した棒状体１が吸引状態を維持して吸着面３ａの面内で移動することが可能である。
【００５７】
吸着体３の吸着面３ａ側には拘束部材４が配置され、ねじ６によって該拘束部材４、吸着体３が図示しない物体に取り付けられるように構成されている。拘束部材４には、吸着体３に吸引した棒状体１が吸着面３ａの面内での移動を拘束する拘束部４ａが形成されている。この拘束部４ａは、棒状体１の太さよりも僅かに大きい寸法を有している。拘束部４ａの形状は特に限定するものではなく、本発明に係る磁石対を適用する物体の機能に応じて円形、多角形等適宜の形状に設定することが好ましい。
【００５８】
拘束部材４の拘束部４ａを図に示すような円形に形成した場合、吸着面３ａに吸引した棒状体１は、吸着面３ａに対する吸引状態を維持して円形の拘束部４ａによって動きが拘束される。即ち、棒状体１の外周面が拘束部４ａの端縁に当接したとき、吸着面３ａ内に於ける棒状体１の動きが拘束される。このような吸着面３ａ内に於ける棒状体１の動きは棒状体１と吸着体３の相対的な移動である。
【００５９】
拘束部材４は吸着体３に対し図に示すように略接触した状態で配置されていても良く、所定距離離隔して配置されていても良い。拘束部材４が吸着体３から離隔して配置されている場合、吸着体３と棒状体１が接近して該棒状体１が筒体２から突出するように摺動したとき、該棒状体１が吸着面３ａに吸引される以前に拘束部４ａに嵌合される。このため、棒状体１は吸着体３に吸引されるのに先立って拘束部４ａに拘束されることとなり、確実な吸引を実現することが可能となる。
【００６０】
上記の如く構成された磁石対では、例えば第１部材Ａの筒体２が固定されていた場合、該第１部材Ａに第２部材Ｂが接近したとき、吸着体３に吸引された棒状体１が筒体２から突出し、拘束部材４の拘束部４ａを通過して吸着面３ａに吸引される。その後、第１部材Ａ或いは第２部材Ｂに外力が作用して揺れると、この揺れに於ける棒状体１の軸方向への移動成分によって棒状体１は筒体２の内部で軸方向に摺動し、揺れに於ける棒状体１の軸方向に対し直交する方向の移動成分による棒状体１の動きは拘束部４ａによって拘束される。
【００６１】
そして、互いに吸着された磁石対が離れた状態に戻る場合、例えば、退避手段として図示しないバネ等を有する構造では、第１部材Ａの棒状体１がバネに付勢されて筒体２の内部に退避して収容される。また例えば、退避手段として棒状体１の摺動方向が垂直になるように第１部材Ａを床や下枠に取り付けた場合、棒状体１は自重で落下して筒体２の内部に退避して収容されるため、棒状体１を強制的に退避させるための新たな部材は不要となる。
【実施例２】
【００６２】
次に本発明に係る遮蔽構造を適用した窓の構成について図を用いて説明する。図２は窓枠を模式的に説明する図である。図３は窓掛を止めた状態を説明する図である。尚、図に於いて前述した磁石対と同一の部分には同一の符号を付して説明を省略する。
【００６３】
図に示す窓Ｃは、横方向に配置された上枠１１と、上枠１１の下方に配置された下枠１２と、各枠１１、１２を繋ぐ一対の縦枠１３とによって構成された枠体Ｄと、枠体Ｄの上枠１１に取り付けられた窓掛１４とを有して構成されている。尚、窓Ｃとしては障子が必須であるが、本発明では窓掛１４が障子の屋内側、屋外側の何れに設けられていても良いため、説明の煩雑を省くために図示していない。
【００６４】
本実施例に於いて、枠体Ｄは窓Ｃの枠として構成されているが、本発明の遮蔽構造では枠体Ｄを窓Ｃの枠にのみ限定するものではなく、建物の内部空間を規定する天井や床、壁によって枠体Ｄを構成することも可能である。この場合、上枠１１が天井に相当し、床が下枠１２に相当し、壁が縦枠１３に相当することになる。
【００６５】
窓掛１４は上端側が枠体Ｄの上枠１１に取り付けられており、例えば図示しない紐等の操作部材を操作することで、下端部材１４ａを降下させ、或いは上昇させるように構成されている。下端部材１４ａの上方には遮蔽用のスクリーン１４ｂが設けられており、下端部材１４ａの昇降に伴って折り畳まれ、或いは引き伸ばされて枠体Ｄ内側の空間を遮蔽し、又は開放し得るように構成されている。
【００６６】
上記窓掛１４は、窓枠に設けられて遮光し或いは視線を遮蔽する機能を有するものであり、この機能を発揮し得るものであれば利用することが可能である。このような窓掛としては、例えばブラインド、ロールスクリーン等があり、何れを選択した場合でも本発明の遮蔽構造を適用して窓Ｃを構成することが可能である。
【００６７】
また枠体Ｄを建物の天井、床、壁とした場合には、遮蔽部材としては、ブラインドやロールスクリーンがある。
【００６８】
窓掛１４の下端部材１４ａの下面であって長手方向の両端部近傍には、磁石対を構成する第２部材Ｂが取り付けられている。また下枠１２の左右方向の端部近傍であって、窓掛１４が降下したときに下端部材１４ａに取り付けた第２部材Ｂと対向する位置には、磁石対を構成する第１部材Ａが設けられている。
【００６９】
下枠１２に対する第１部材Ａの取付構造は、該下枠１２の所定位置に表面１２ａ側から第１部材Ａを構成する筒体２の本体２ａの外径と略等しいか僅かに大きい穴１２ｂを形成すると共に該穴１２ｂの周囲に筒体２のフランジ２ｄの外径と略等しい経で厚さと略等しい深さを持った座１２ｃを形成し、穴１２ｂに棒状体１を収容した筒体２の本体２ａを嵌合させると共にフランジ２ｄを座１２ｃに埋め込むことで構成されている。
【００７０】
上記の如くして下枠１２に取り付けられた筒体２は、開放端部２ｃが下枠１２の表面１２ａと同一面となり、窓の障子を開閉したり、窓から身を乗り出すような場合でも筒体２が邪魔になることがない。
【００７１】
窓掛１４の下端部材１４ａに対する第２部材Ｂの取付構造は、該下端部材１４ａの下面に対し、ねじ６によって拘束部材４、吸着部材３を一体的に取り付けることで構成されている。
【００７２】
上記の如く構成された窓Ｃでは、枠体Ｄの内側の空間を遮蔽する際に窓掛１４を降下させると、磁石対を構成する第２部材Ｂが下枠１２に取り付けた第１部材Ａと接近し、吸着体３の吸引力によって棒状体１が吸引されて筒体２から突出する。このとき棒状体１は、先ず端面１ａ側が拘束部材４の拘束部４ａを通過し、次いで吸着体３の吸着面３ａに吸引される。これにより、窓掛１４の下端部材１４ａは磁石対を介して下枠１２に吸着される。
【００７３】
上記の如くして窓掛１４の下端部材１４ａが磁石対を介して下枠１２に吸着された状態で、例えば風を受けて窓掛１４が揺れると、このときの揺れの垂直成分（棒状体１の軸方向への摺動成分）は吸着により拘束され、また揺れの水平成分（棒状体１の軸方向に直交する方向の成分）は拘束部材４の拘束部４ａが棒状体１の外周に当接することによって拘束される。
【００７４】
従って、窓掛１４の下端部材１４ａは、磁石対を構成する第１部材Ａの棒状体１の筒体２に対する軸方向への吸着と、第２部材Ｂの拘束部材４による吸着面３ａ内の拘束範囲とによって拘束されることになる。このため、窓掛１４が風を受けたとき、窓掛１４は上下の両端部分が拘束されて中央部分で風を受け流すことが可能となり、窓を通る風を実現すると共に風の通りをスクリーン１４ｂの揺れによって見ることが可能となる。そしてスクリーン１４ｂが揺れたとしても、該スクリーン１４ｂによる遮光や視線の遮断を継続して行うことが可能である。
【００７５】
また窓Ｃを開放する場合、窓掛１４を上昇させると、この上昇に伴って下端部材１４ａが下枠１２から離隔し、吸着部材３に吸引された棒状体１も引き出され、ロールピン５が筒体２の本体２ａに設けたガイド穴２ｂの開放端部２ｃ側の端部に到達すると棒状体１の移動が阻止される。引き続く窓掛１４の上昇に伴って吸着体３が棒状体１を離脱させ、これにより、棒状体１は自重により筒体２の内部に落下して収容され、窓掛１４は上昇を継続する。
【産業上の利用可能性】
【００７６】
本発明の磁石対は二つの物体を接続した状態で動きを拘束するような構造を実現する際に利用して有利である。また本発明の遮蔽構造は、廊下の全部又は一部、或いは部屋の一部の空間を遮蔽し或いは開放するような場合に利用して有利である。
【図面の簡単な説明】
【００７７】
【図１】磁石対の構成を説明する図である。
【図２】窓枠を模式的に説明する図である。
【図３】窓掛を止めた状態を説明する図である。
【符号の説明】
【００７８】
Ａ                      第１部材
Ｂ                      第２部材
Ｃ                      窓
Ｄ                      枠体
１                      棒状体
１ａ                    端面
２                      筒体
２ａ                    本体
２ｂ                    ガイド穴
２ｃ                    開放端部
２ｄ                    フランジ
３                      吸着体
３ａ                    吸着面
４                      拘束部材
４ａ                    拘束部
５                      ロールピン
６                      ねじ
１１                    上枠
１２                    下枠
１３                    縦枠
１４                    窓掛
１４ａ                  下端部材
１４ｂ                  スクリーン
１２ａ                  表面
１２ｂ                  穴
１２ｃ                  座
【図１】
2007277941.tif 000003
【図２】
2007277941.tif 000004
【図３】
2007277941.tif 000005